【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
画像データを表示部に表示する制御を行う表示制御手段と、
前記表示部に表示する画像データの信号特性を検出する検出手段と、
画像データの編集処理を行うための編集機能が起動状態である場合に、ユーザ指示に応じて前記画像データの編集処理を行う第１処理手段と、
前記検出手段から検出された前記信号特性を用いて決定した、前記画像データの画質調整のための画質調整値を用いて、前記画像データの画像処理を行う第２処理手段と、
前記編集機能が起動状態か停止状態かの情報、および前記画像データに付加された付加情報を取得する取得手段と、を有し、
前記取得手段により取得された前記編集機能が起動状態か停止状態かの情報、および前記画像データに付加された付加情報を用いて、前記第２処理手段は、前記画質調整値を用いた前記画像データの画像処理を行うか否かを決定することを特徴とする画像処理装置。
【請求項２】
前記取得手段は、前記画像データに付加された付加情報として前記画像データのフォーマット形式を取得し、
前記取得手段により取得された前記編集機能が起動状態か停止状態かの情報、および前記画像データのフォーマット形式に基づいて、前記第２処理手段は、前記画質調整値を用いた前記画像データの画像処理を行うか否かを決定することを特徴とする請求項１に記載の画像処理装置。
【請求項３】
前記編集機能が起動状態であって、前記画像データのフォーマット形式がＲＡＷ形式、ＭＰＥＧ形式、ＡＶＩ形式の場合は、前記第２処理手段は、前記画質調整値を用いた前記画像データの画像処理を行わないことを特徴とする請求項２に記載の画像処理装置。
【請求項４】
前記取得手段は、前記画像データに付加された付加情報としてさらに前記画像データが撮影情報を有しているか否かを取得し、
前記編集機能が起動状態であって、前記画像データのフォーマット形式がＪＰＥＧ形式で、かつ前記撮影情報を有している場合は、前記第２処理手段による前記画像データの画像処理を行わないことを特徴とする請求項２または３に記載の画像処理装置。
【請求項５】
前記編集機能が停止状態である場合は、前記第２処理手段による前記画像データの画像処理を行うことを特徴とする請求項１乃至４のいずれか１項に記載の画像処理装置。
【請求項６】
第１の画像データが入力される第１の画像データ入力手段と、
第２の画像データが入力される第２の画像データ入力手段と、有し、
前記検出手段は、前記第１の画像データ及び前記第２の画像データの信号特性を検出し、
前記第２処理手段は、前記検出手段から検出された前記第１の画像データ及び前記第２の画像データの信号特性を用いて決定した、前記第１の画像データ及び前記第２の画像データの画質調整のための画質調整値を用いて、前記第１の画像データ及び前記第２の画像データの画像処理を行うことを特徴とする請求項１に記載の画像処理装置。
【請求項７】
外部機器でファイルとして生成された第１の画像データが入力される第１の画像データ入力手段と、
第２の画像データが入力される第２の画像データ入力手段と、を有し、
前記取得手段は、前記第１の画像データと前記第２の画像データとのうち、前記第１の画像データのフォーマット形式を取得することを特徴とする請求項２に記載の画像処理装置。
【請求項８】
画像データの前記信号特性とは、前記画像データの輝度特性、色特性及びエッジ情報の少なくともいずれか１つを含むことを特徴とする、請求項１乃至７のいずれか１項に記載の画像処理装置。
【請求項９】
表示制御手段が、画像データを表示部に表示する制御を行う表示制御工程と、
検出手段が、前記表示部に表示する画像データの信号特性を検出する検出工程と、
第１処理手段が、画像データの編集処理を行うための編集機能が起動状態である場合に、ユーザ指示に応じて前記画像データの編集処理を行う第１処理工程と、
第２処理手段が、前記検出工程で検出された前記信号特性を用いて決定した、前記画像データの画質調整のための画質調整値を用いて、前記画像データの画像処理を行う第２処理工程と、
取得手段が、前記編集機能が起動状態か停止状態かの情報、および前記画像データに付加された付加情報を取得する取得工程と、を有し、
前記取得工程で取得された前記編集機能が起動状態か停止状態かの情報、および前記画像データに付加された付加情報を用いて、前記第２処理工程では、前記画質調整値を用いた前記画像データの画像処理を行うか否かを決定することを特徴とする画像処理方法。
【手続補正２】
【補正対象書類名】明細書
【補正対象項目名】発明の名称
【補正方法】変更
【補正の内容】
【発明の名称】画像処理装置および画像処理方法
【手続補正３】
【補正対象書類名】明細書
【補正対象項目名】０００１
【補正方法】変更
【補正の内容】
【０００１】
本発明は、画像処理装置および画像処理方法に関し、特には、画質調整を自動的に行う映像表示装置に用いて好適な画像処理装置および画像処理方法に関する。
【手続補正４】
【補正対象書類名】明細書
【補正対象項目名】００１２
【補正方法】変更
【補正の内容】
【００１２】
本発明の目的は、画質調整機能を有する画像処理装置において、簡便な構成により、ユーザが意図した画像編集を実現することが可能な画像処理装置および画像処理方法を提供することにある。
【手続補正５】
【補正対象書類名】明細書
【補正対象項目名】００１３
【補正方法】変更
【補正の内容】
【００１３】
本発明は、上述した課題を解決するために、画像データを表示部に表示する制御を行う表示制御手段と、前記表示部に表示する画像データの信号特性を検出する検出手段と、画像データの編集処理を行うための編集機能が起動状態である場合に、ユーザ指示に応じて前記画像データの編集処理を行う第１処理手段と、前記検出手段から検出された前記信号特性を用いて決定した、前記画像データの画質調整のための画質調整値を用いて、前記画像データの画像処理を行う第２処理手段と、前記編集機能が起動状態か停止状態かの情報、および前記画像データに付加された付加情報を取得する取得手段と、を有し、前記取得手段により取得された前記編集機能が起動状態か停止状態かの情報、および前記画像データに付加された付加情報を用いて、前記第２処理手段は、前記画質調整値を用いた前記画像データの画像処理を行うか否かを決定することを特徴とする画像処理装置を提供する。
【手続補正６】
【補正対象書類名】明細書
【補正対象項目名】００１４
【補正方法】変更
【補正の内容】
【００１４】
また、本発明は、表示制御手段が、画像データを表示部に表示する制御を行う表示制御工程と、検出手段が、前記表示部に表示する画像データの信号特性を検出する検出工程と、第１処理手段が、画像データの編集処理を行うための編集機能が起動状態である場合に、ユーザ指示に応じて前記画像データの編集処理を行う第１処理工程と、第２処理手段が、前記検出工程で検出された前記信号特性を用いて決定した、前記画像データの画質調整のための画質調整値を用いて、前記画像データの画像処理を行う第２処理工程と、取得手段が、前記編集機能が起動状態か停止状態かの情報、および前記画像データに付加された付加情報を取得する取得工程と、を有し、前記取得工程で取得された前記編集機能が起動状態か停止状態かの情報、および前記画像データに付加された付加情報を用いて、前記第２処理工程では、前記画質調整値を用いた前記画像データの画像処理を行うか否かを決定することを特徴とする画像処理方法を提供する。
【手続補正７】
【補正対象書類名】明細書
【補正対象項目名】００１５
【補正方法】変更
【補正の内容】
【００１５】
本発明は、上述した構成を有するため、画質調整機能を有する画像処理装置において、簡便な構成により、ユーザが意図した画像編集を実現することが可能である。